(57)【要約】【課題】  開弁時において環状溝と出口通路の圧力を短時間に高めることのできるディスク式スチームトラップを提供する。【解決手段】  入口１と出口２を有する本体３に弁座部材４を介して蓋部材５を取り付けて弁座部材４と蓋部材５の間に変圧室６を形成する。変圧室６に弁ディスク９を配置する。弁座部材４が変圧室６の中心に開口し入口１側から連通する入口通路１５と、入口通路１５の外周囲に開口する環状溝１６と、入口通路１５と環状溝１６の間に形成した内輪弁座７と、環状溝１６の外周囲に形成した外輪弁座８と、一端が環状溝１６に開口する３個の出口通路１７と、３個の出口通路１７の総流体通過面積よりも流体通過面積が大きく一端が出口２に開口する出口環状溝１８と、夫々の出口通路１７の流体通過面積よりも流体通過面積が小さく夫々の出口通路１７の他端を出口環状溝１８の他端に連通する３個の連通孔１９を有する。【選択図】      図１
2009192009.tif 000002
【特許請求の範囲】
【請求項１】
入口と出口を有する本体に弁座部材を介して蓋部材を取り付けて弁座部材と蓋部材の間に変圧室を形成し、変圧室に弁ディスクを配置し、弁座部材が変圧室の中心に開口し入口側から連通する入口通路と、入口通路の外周囲に開口する環状溝と、入口通路と環状溝の間に形成した内輪弁座と、環状溝の外周囲に形成した外輪弁座と、一端が環状溝に開口する複数個の出口通路と、複数個の出口通路の総流体通過面積よりも流体通過面積が大きく一端が出口に開口する出口環状溝と、夫々の出口通路の流体通過面積よりも流体通過面積が小さく夫々の出口通路の他端を出口環状溝の他端に連通する複数個の連通孔を有することを特徴とするディスク式スチームトラップ。
【発明の詳細な説明】
【技術分野】
【０００１】
本発明は、変圧室すなわち熱力学的蒸気室の圧力変化に応じて弁ディスクが開閉することにより、蒸気配管系に発生する復水を自動的に排出するディスク式スチームトラップに関し、特に閉弁から次の開弁動作を起こすまでの閉弁時間を長くできるようにしたものに関する。
【背景技術】
【０００２】
上記の閉弁時間を長くしようとしたディスク式スチームトラップが特公昭４９−１１６５２号公報に示されている。これは、入口と出口を有する本体に弁座部材を介して蓋部材を取り付けて弁座部材と蓋部材の間に変圧室を形成し、変圧室に弁ディスクを配置し、弁座部材が変圧室の中心に開口し入口側から連通する入口通路と、入口通路の外周囲に開口する環状溝と、入口通路と環状溝の間に形成した内輪弁座と、環状溝の外周囲に形成した外輪弁座と、一端が環状溝に開口する出口通路と、出口通路の流体通過面積よりも流体通過面積が小さく一端が出口に開口する出口孔と、出口通路の流体通過面積よりも流体通過面積が大きく出口通路の他端と出口孔の他端を連通する連通孔を有するものである。このディスク式スチームトラップは、出口通路の流体通過面積よりも流体通過面積の小さな出口孔を出口通路の二次側に形成することにより、開弁時において出口孔の一次側の環状溝と出口通路と連通孔の圧力を高めて、排出流体を変圧室に流れ込み易くし、変圧室内圧をより上昇させてから閉弁させることにより、閉弁から次の開弁動作を起こすまでの変圧室内圧が所定圧まで低下するのに要する閉弁時間を長くしようとしたものである。
【０００３】
しかしながら、上記のディスク式スチームトラップは、出口通路と出口孔の間に出口通路の流体通過面積よりも流体通過面積の大きな連通孔を形成したものであるので、開弁時において出口孔の一次側の環状溝と出口通路と連通孔の圧力を高めるのに長時間を要し、変圧室内圧が充分に上昇しないうちに弁ディスク下面を蒸気が通過して閉弁してしまう問題点があった。
【特許文献１】特公昭４９−１１６５２号公報
【発明の開示】
【発明が解決しようとする課題】
【０００４】
解決しようとする課題は、開弁時において環状溝と出口通路の圧力を短時間に高めることのできるディスク式スチームトラップを提供することである。
【課題を解決するための手段】
【０００５】
本発明のディスク式スチームトラップは、入口と出口を有する本体に弁座部材を介して蓋部材を取り付けて弁座部材と蓋部材の間に変圧室を形成し、変圧室に弁ディスクを配置し、弁座部材が変圧室の中心に開口し入口側から連通する入口通路と、入口通路の外周囲に開口する環状溝と、入口通路と環状溝の間に形成した内輪弁座と、環状溝の外周囲に形成した外輪弁座と、一端が環状溝に開口する複数個の出口通路と、複数個の出口通路の総流体通過面積よりも流体通過面積が大きく一端が出口に開口する出口環状溝と、夫々の出口通路の流体通過面積よりも流体通過面積が小さく夫々の出口通路の他端を出口環状溝の他端に連通する複数個の連通孔を有することを特徴とする。
【発明の効果】
【０００６】
本発明は、一端が環状溝に開口する複数個の出口通路の夫々の他端と一端が出口に開口する出口環状溝の他端の間に夫々の出口通路の流体通過面積よりも流体通過面積の小さな複数個の連通孔を形成したものであるので、開弁時において連通孔の一次側の環状溝と出口通路の圧力を短時間に高めて、変圧室内圧を充分に上昇させてから閉弁させることができ、閉弁から次の開弁動作を起こすまでの閉弁時間を長くできるという優れた効果を生じる。
【発明を実施するための最良の形態】
【０００７】
本発明のディスク式スチームトラップは、一端が環状溝に開口する複数個の出口通路の夫々の他端と一端が出口に開口する出口環状溝の他端の間に夫々の出口通路の流体通過面積よりも流体通過面積の小さな複数個の連通孔を形成したものである。そのため、開弁時において連通孔の一次側の環状溝と出口通路の圧力を短時間に高めて、排出流体を変圧室に流れ込み易くし、変圧室内圧を充分に上昇させてから閉弁させることができ、閉弁から次の開弁動作を起こすまでの変圧室内圧が所定圧まで低下するのに要する閉弁時間を長くすることができる。
【実施例１】
【０００８】
上記の技術的手段の具体例を示す実施例を説明する（図１と図２参照）。図１は本発明の実施例のディスク式スチームトラップの断面図であり、図２は図１の弁座部材の平面図である。入口１と出口２を有する本体３に弁座部材４を介して蓋部材５をねじ結合して弁座部材４と蓋部材５の間に変圧室６を形成する。変圧室６に下記の内輪弁座７と外輪弁座８に離着座して開閉弁する円板状の弁ディスク９を配置する。入口２と出口３はほぼ同一軸上に形成する。
【０００９】
弁座部材４は、入口１側から連通して変圧室６の中心に開口する入口通路１５と、入口通路１５の外周囲に開口する環状溝１６と、入口通路１５と環状溝１６の間に形成した内輪弁座７と、環状溝１６の外周囲に内輪弁座７と同心円状で同一平面に形成した外輪弁座８と、一端が環状溝１６に開口する３個の出口通路１７と、３個の出口通路１７の総流体通過面積よりも流体通過面積が大きく一端が出口２に開口する出口環状溝１８と、３個の出口通路１７の夫々の流体通過面積よりも流体通過面積が小さく夫々の出口通路１７の他端を出口環状溝１８の他端に連通する３個の連通孔１９を有する。出口通路１７は入口通路１５を中心とした同一円周上に等間隔に２個以上形成することができ、連通孔１９は入口通路１５を中心とした同一円周上に等間隔に出口通路１７と同数形成することができる。本体３にキャップ部材２０をねじ結合して変圧室６の外側に空気保温室２１を形成する。
【００１０】
上記実施例の作動を説明する。入口通路１５を介して弁ディスク９に作用する入口１側の流体圧力により、弁ディスク９は内外輪弁座７，８から離座開弁し、復水を環状溝１６、３個の出口通路１７、３個の連通孔１９、出口環状溝１８を通して出口２に排出する。復水が排出されて蒸気が内外輪弁座７，８と弁ディスク９の間を高速に通過することによって内外輪弁座７，８と弁ディスク９の間の圧力が低下し、また蒸気が変圧室６に流れ込み変圧室６の圧力が上昇することによって、弁ディスク９が内外輪弁座７，８に着座閉弁する。そして、変圧室６内の蒸気が放熱等により凝縮しその蒸気圧力が低下してくると、弁ディスク９は内外輪弁座７，８から離座開弁する。このような開閉弁のサイクルを繰り返す。
【００１１】
一端が環状溝１６に開口する３個の出口通路１７の夫々の他端と一端が出口２に開口する出口環状溝１８の他端の間に夫々の出口通路１７の流体通過面積よりも流体通過面積の小さな３個の連通孔１９を形成しているので、弁ディスク９が内外輪弁座７，８から離座した開弁時において、連通孔１９の一次側の環状溝１６と出口通路１７の圧力を短時間に高めて、排出流体を変圧室６に流れ込み易くし、変圧室６内圧を充分に上昇させてから閉弁させることができ、閉弁から次の開弁動作を起こすまでの変圧室内圧が所定圧まで低下するのに要する閉弁時間を長くすることができる。
【図面の簡単な説明】
【００１２】
【図１】本発明の実施例のディスク式スチームトラップの断面図。
【図２】図２は図１の弁座部材の平面図。
【符号の説明】
【００１３】
１  入口
２  出口
３  本体
４  弁座部材
５  蓋部材
６  変圧室
７  内輪弁座
８  外輪弁座
９  弁ディスク
１５  入口通路
１６  環状溝
１７  出口通路
１８  出口環状溝
１９  連通孔
【図１】
2009192009.tif 000003
【図２】
2009192009.tif 000004